(57)【要約】【課題】簡単な構成であって、スライド時のロッドアンテナの飛び出しを抑えたまま引き出しにくさを解消すると共に、バイブレータの振動時にロッドアンテナのエレメント同士の接触により発生する金属音を抑えたスライド式携帯無線機及びアンテナ装置を提供する。【解決手段】アンテナロッドアンテナ５は、その先端部に切欠部、切欠部を有して回転自在に構成されたキャップ９を備えている。また、下部筐体２２は切欠部を通過できるように形成された突起部１６、１６を備えている。これにより、ロッドアンテナ５が下部筐体２２の内部に収納される過程において、キャップ９が任意の方向へ回転したとき、切欠部、切欠部が突起部１６、１６を通過し、突起部１６、１６とキャップ９における第２の大円部９ｃの端面とが当接することにより、ロッドアンテナ５は下部筐体２２の内部の所定位置に安定的に収納される。【選択図】図３
2012178791.tif 000002
【特許請求の範囲】
【請求項１】
上部筐体、該上部筐体に対して相対的にスライド移動可能な下部筐体、及び前記上部筐体または前記下部筐体の一方の筐体に設けられ、伸縮可能なロッドアンテナを備えたスライド式携帯無線機であって、
前記ロッドアンテナは、先端部に、切欠部を有して回転自在に構成されたキャップを備え、
前記一方の筐体は、前記切欠部を通過可能に形成された突起部を備え、
前記ロッドアンテナが前記一方の筐体の内部に収納される過程において、前記キャップが任意方向へ回転したとき、前記切欠部が前記突起部を通過し、該突起部と前記キャップの端面とが当接することにより、該ロッドアンテナは所定の位置に収納されることを特徴とするスライド式携帯無線機。
【請求項２】
前記ロッドアンテナの下端部にはバネが設けられ、該ロッドアンテナが所定の位置に収納されたとき、前記バネは、前記突起部と前記キャップの端面との当接状態を付勢することを特徴とする請求項１に記載のスライド式携帯無線機。
【請求項３】
前記突起部は前記一方の筐体に１個設けられ、前記切欠部は前記キャップに１個設けられていることを特徴とする請求項１または２に記載のスライド式携帯無線機。
【請求項４】
前記突起部は前記一方の筐体に複数個設けられ、前記切欠部は、前記突起部のそれぞれと対応するように複数個設けられていることを特徴とする請求項１または２に記載のスライド式携帯無線機。
【請求項５】
前記ロッドアンテナの収納方向は、前記上部筐体と前記下部筐体の相対的なスライド方向と同方向であることを特徴とする請求項１乃至４の何れかに記載のスライド式携帯無線機。
【請求項６】
前記ロッドアンテナが所定の位置に収納されている状態において、前記キャップを回転させて前記切欠部の位置と前記突起部の位置とを一致させたとき、該ロッドアンテナは、前記バネの付勢力により、前記キャップの下端面が前記一方の筐体の上端面より上部になるように突出することを特徴とする請求項２乃至５の何れかに記載のスライド式携帯無線機。
【請求項７】
上部筐体、及び該上部筐体に対して相対的にスライド移動可能な下部筐体を備えたスライド式携帯無線機の前記上部筐体または前記下部筐体の一方の筐体に設けられ、伸縮可能なロッドアンテナを備えたアンテナ装置であって、
前記ロッドアンテナは、先端部に、切欠部を有して回転自在に構成されたキャップを備え、
該ロッドアンテナが前記一方の筐体の内部に収納される過程において、前記キャップが任意方向へ回転したとき、前記切欠部が前記一方の筐体に形成された突起部を通過し、該突起部と前記キャップの端面とが当接することにより、該ロッドアンテナが所定の位置に収納されることを特徴とするアンテナ装置。
【請求項８】
前記ロッドアンテナの下端部にはバネが設けられ、該ロッドアンテナが所定の位置に収納されたとき、前記バネは、前記突起部と前記キャップの端面との当接状態を付勢することを特徴とする請求項７に記載のアンテナ装置。
【請求項９】
前記ロッドアンテナが所定の位置に収納されている状態において、前記キャップを回転させて前記切欠部の位置と前記突起部の位置とを一致させたとき、該ロッドアンテナは、前記バネの付勢力により、前記キャップの下端面が前記一方の筐体の上端面より上部になるように突出することを特徴とする請求項８に記載のアンテナ装置。
【発明の詳細な説明】
【技術分野】
【０００１】
本発明は、上部筐体と下部筐体とをスライドさせる携帯電話機などのスライド式携帯無線機、及びスライド式携帯無線機に用いられるアンテナ装置に関し、特に、伸縮自在なロッドアンテナを用いたスライド式携帯無線機、及びスライド式携帯無線機に用いられるアンテナ装置に関する。
【背景技術】
【０００２】
近年の携帯電話機は、通話機能だけではなく、地上デジタルテレビ放送の受信サービスなどが受けられるワンセグや、ＧＰＳ（Global Positioning System：全地球測位システム）機能や、複数の機器間で短距離無線通信が可能なＢｌｕｅｔｏｏｔｈなど、多くの通信機能が搭載されていて、それぞれの使用周波数に合わせた長さのアンテナが実装されている。その中でも、ワンセグの使用周波数は比較的低い周波数であるので長さの長いアンテナが必要となる。そのため、ワンセグを視聴しないときにはアンテナを縮めて携帯電話機に収納し、ワンセグを視聴するときにはアンテナを伸ばして所望の長さとなるロッドアンテナとするような使用方法が主流となっている。なお、以下の説明では、スライド式携帯無線機を単に携帯無線機と呼ぶことにする。
【０００３】
図５は、ロッドアンテナを備えた一般的なの携帯無線機の概略的な構成図であり、（ａ）は携帯無線機の開状態、（ｂ）は携帯無線機の閉状態を示している。この携帯無線機１０１は、上部筐体と下部筐体とを相対的にスライドさせるスライド式になっていて、同図（ａ）に示すような開状態、及び同図（ｂ）に示すような閉状態にすることができる。この携帯無線機１０１は、上部基板１０２、下部基板１０３、上部基板１０２と下部基板１０３とを導通させるためのフレキシブルケーブル１０４、及び下部基板１０３に取り付けられたロッドアンテナ１０５を備えて構成されている。
【０００４】
上部基板１０２及び下部基板１０３は、それぞれ、上部筐体１２１及び下部筐体１２２の内部に収容されており、スライド構造（図示せず）によって、上部基板１０２を収納した上部筐体１２１と下部基板１０３を収納した下部筐体１２２とが開閉可能に接続されている。
【０００５】
上部基板１０２には、液晶ディスプレイ（図示せず）が搭載されており、下部基板１０３には、カメラ（図示せず）、給電部１０６、整合回路１０７、無線回路１０８、電池（図示せず）、キーボタン（図示せず）、及びバイブレータ（図示せず）などが搭載されている。なお、開状態とは、図５（ａ）に示すように、上部基板１０２の液晶ディスプレイ側から見たときに、下部基板１０３のキーボタンが見えて上部筐体１２１と下部筐体１２２とが重ならない状態である。また、閉状態とは、図５（ｂ）に示すように、上部基板１０２の液晶ディスプレイ側から見たときに下部基板１０３のキーボタンが見えず、上部筐体１２１と下部筐体１２２とが重なっている状態である。
【０００６】
上部基板１０２と下部基板１０３とを導通させるためのフレキシブルケーブル１０４は、上部基板１０２の回路（図示せず）と下部基板１０３の回路（図示せず）とを電気的に接続している。このフレキシブルケーブル１０４は、上部基板１０２と下部基板１０３とが図５（ａ）、(ｂ)のように繰り返し開／閉されても断線しないように、柔軟性のある平型多心ケーブルで構成されている。
【０００７】
また、ロッドアンテナ１０５は、凹み部付キャップ１１８、第１のエレメント１１０、第２のエレメント１１１、及びサポート金具１１２を備えて構成されている。このサポート金具１１２は、下部基板１０３上に形成された給電部１０６に接続され、整合回路１０７を介して無線回路１０８に接続されている。また、第１のエレメント１１０の先端部には凹み部付キャップ１１８が設けられている。この凹み部付キャップ１１８の一般的なキャップ形状は、ロッドアンテナ１０５を収納状態から伸張させるためにユーザが指を掛けるための凹み部（図示せず）を備えている。
【０００８】
次に、図５に示すロッドアンテナ１０５の詳細な構造について説明する。図６は、図５に示すロッドアンテナの詳細な構造を示す図であり、（ａ）はロッドアンテナの伸張時、（ｂ）はロッドアンテナの収納時を示している。図６に示すように、第２のエレメント１１１の内部は空洞となっていて、第１のエレメント１１０を収納できる構造となっている。また、第１のエレメント１１０は、該第１のエレメント１１０の下端に形成された第１のスプリング１１４により第２のエレメント１１１の内部と接続されて保持された状態となっている。また、第２のエレメント１１１は、サポート金具１１２上に形成された第２のスプリング１１５によってサポート金具１１２と接続して保持された状態となっている。
【０００９】
例えば、ロッドアンテナ１０５の伸張時の場合は、図６（ａ）に示すように、第１のスプリング１１４は第２のエレメント１１１の上端部で保持され、第２のスプリング１１５は第２のエレメント１１１の下端部で保持される。また、ロッドアンテナ１０５の収納時の場合は、図６（ｂ）に示すように、第１のスプリング１１４は第２のエレメント１１１の下端部付近で保持され、第２のスプリング１１５は第２のエレメント１１１の上端部で保持される。これによって、ロッドアンテナ１０５を伸張したり収納したりする操作を容易に行うことができる。
【００１０】
なお、関連技術として、携帯電話機のアンテナを突出する方向に付勢するコイルバネと、そのアンテナを収納したときに、コイルバネの付勢力に抗してアンテナを収納できる係脱可能な係合手段とを設けることにより、ワンタッチでアンテナを伸張したり収納したりすることができるアンテナ収納構造の技術が開示されている（例えば、特許文献１参照）。この技術によれば、アンテナをわずかに回転させながら収納することにより、該アンテナ部分に形成された係合部と筐体部分に形成された被係合部とが係合し、コイルバネの蓄積エネルギーによって、係合部と被係合部とからなる係合手段がアンテナを安定した状態で筐体内に収納・保持させている。係合手段としては、例えば、アンテナ部分に形成された係合部が雄ネジであり、筐体部分に形成された被係合部が雌ネジであれば、アンテナをわずかに回転させながら収納することによりネジ部の螺合によってアンテナを収納・保持させることができる。
【００１１】
また、他の関連技術として、携帯電話機のアンテナを収納したときは、筐体側に設けたストッパ手段がアンテナの係合部を係合させてアンテナを収納・保持させ、ストッパ手段を解除したときにアンテナの下部に取り付けられたバネの付勢力によってアンテナを突出伸張させる技術が開示されている（例えば、特許文献２参照）。この技術によれば、アンテナのストッパ手段に対して直角方向に設けられたストッパ解除用の押しボタンを操作することにより、ストッパ手段を解除することができるようになっている。
【先行技術文献】
【特許文献】
【００１２】
【特許文献１】実用新案登録第３０５１５０７号公報
【特許文献２】実用新案登録第３０５９３２１号公報
【発明の概要】
【発明が解決しようとする課題】
【００１３】
ところで、ロッドアンテナ１０５が図５、図６に示すような構成になっていると図７に示すような種々の不具合が発生する。図７は、図５に示す構成の携帯無線機を開閉したときにロッドアンテナに不具合が発生する状態を示す説明図であり、（ａ）は携帯無線機の開状態、（ｂ）は携帯無線機のスライド時、（ｃ）は携帯無線機の閉状態を示している。なお、図７は、携帯無線機の収納過程において筐体側面方向から見た上部筐体と下部筐体との位置関係を示している。
【００１４】
図７（ａ）に示す筐体の開状態から、図７（ｃ）に示す筐体の閉状態へスライドした場合について説明する。この携帯無線機１０１は、スライド構造により上部筐体１２１が下部筐体１２２と重なる位置までスライドし、スライド構造のストッパ（図示せず）によって動きが重なった位置でストップする。このとき、下部筐体１２２側へスライドした上部筐体１２１の衝撃により、図７（ｂ）に示すように、下部筐体１２２にも上部筐体１２１のスライドと同方向に力が働く。すなわち、下部筐体１２２側へスライドした上部筐体１２１に矢印ａの力が働くと、下部筐体１２２にも同方向の矢印ｂの力が働く。
【００１５】
一方、下部筐体１２２に収納されたロッドアンテナ１０５は、慣性の法則によって衝撃の発生する直前の位置に留まろうとする。したがって、下部筐体１２２から見ると、相対的にロッドアンテナ１０５を引き出す方向に力が働くことになる。そのため、ロッドアンテナ１０５の第１のエレメント１１０及び第２のエレメント１１１の保持力が、スライドの衝撃によって働く力に対して小さい場合は、図７（ｃ）に示すように、ロッドアンテナ１０５は下部筐体１２２の収納位置から飛び出してしまうおそれがある。
【００１６】
そこで、このような問題の改善策として、ロッドアンテナ１０５の伸張方向を上部筐体１２１のスライド方向と直角にする方法が考えられるが、近年の携帯無線機は小型かつ薄型化の観点から高密度実装が進んでいるので、実装レイアウトの大規模な変更が必要になるため、ロッドアンテナ１０５の構造変更は極めて難しい。
【００１７】
また、図６に示す第１のエレメント１１０及び第２のエレメント１１１の保持力を大きくする方法が考えられるが、その場合、ユーザがロッドアンテナ１０５を引き出す際に大きな力が必要となり、ロッドアンテナ１０５を引き出しにくくなってしまうというデメリットがある。
【００１８】
そこで、ロッドアンテナ１０５の引き出しにくさを改善するために、指や爪を引っ掛けるための凹み部付キャップ１１８（図５参照）の凹み部分を大きくし、ユーザの力をかけやすくするという策はあるものの、デザイン重視の携帯無線機では大きな凹み部の追加は容易ではなく、ロッドアンテナ１０５の多少の引き出しにくさを解消しないまま使用せざるを得ないという問題点もある。
【００１９】
さらに、第１のエレメント１１０の保持力が小さい場合、携帯無線機の下部筐体１２２内に搭載されているバイブレータ（図示せず）の振動により、携帯無線機の収納状態において第１のエレメント１１０の上端が振動し、第２のエレメント１１の上端と接触することによって金属音が発生するおそれがある。
【００２０】
また、前記特許文献１に開示された技術は、係合手段の構造として、アンテナ部分の係合部と筐体部分の被係合部とが互いに爪部分で係合されていて、バネの付勢エネルギーで爪部分の係合力を保持している構成となっている。したがって、携帯電話機に振動を与えたりバイブレータの振動などによって、係合部と被係合部の爪部分の係合が外れてしまってアンテナが突出してしまうおそれがある。また、前記特許文献２に開示された技術は、アンテナのストッパ手段に対して直角方向にストッパ解除用の押しボタンを設けているため、携帯無線機を小型かつ薄型化する観点から、押しボタンの配置が好ましくないレイアウトとなってしまう。
【００２１】
本発明は、このような事情に鑑みてなされたものであり、簡単な構成であって、スライド時のロッドアンテナの飛び出しを抑えたまま引き出しにくさを解消すると共に、バイブレータの振動時にロッドアンテナのエレメント同士の接触により発生する金属音を抑えたスライド式携帯無線機、及びスライド式携帯無線機に用いられるアンテナ装置を提供することを目的とする。
【課題を解決するための手段】
【００２２】
本発明は上記の課題を解決するためになされたものであり、上部筐体、該上部筐体に対して相対的にスライド移動可能な下部筐体、及び前記上部筐体または前記下部筐体の一方の筐体に設けられ、伸縮可能なロッドアンテナを備えたスライド式携帯無線機であって、
前記ロッドアンテナは、先端部に、切欠部を有して回転自在に構成されたキャップを備え、前記一方の筐体は、前記切欠部を通過可能に形成された突起部を備え、前記ロッドアンテナが前記一方の筐体の内部に収納される過程において、前記キャップが任意方向へ回転したとき、前記切欠部が前記突起部を通過し、該突起部と前記キャップの端面とが当接することにより、該ロッドアンテナは所定の位置に収納されることを特徴とするスライド式携帯無線機を提供する。
【００２３】
また、本発明は、上部筐体、及び該上部筐体に対して相対的にスライド移動可能な下部筐体を備えたスライド式携帯無線機の前記上部筐体または前記下部筐体の一方の筐体に設けられ、伸縮可能なロッドアンテナを備えたアンテナ装置であって、前記ロッドアンテナは、先端部に、切欠部を有して回転自在に構成されたキャップを備え、該ロッドアンテナが前記一方の筐体の内部に収納される過程において、前記キャップが任意方向へ回転したとき、前記切欠部が前記一方の筐体に形成された突起部を通過し、該突起部と前記キャップの端面とが当接することにより、該ロッドアンテナが所定の位置に収納されることを特徴とするアンテナ装置を提供する。
【発明の効果】
【００２４】
本発明によれば、携帯無線機のデザイン性に影響を与えることなく、振動などによるロッドアンテナの飛び出しを抑え、かつ、ユーザによるロッドアンテナの引き出しにくさを解消することができる。また、バイブレータの振動によってロッドアンテナのエレメント同士の接触で発生する金属音を抑えることができる。
【図面の簡単な説明】
【００２５】
【図１】本発明の第１実施形態に係るアンテナ装置を含む携帯無線機の概略的な構成図である。
【図２】図１に示すロッドアンテナのキャップ部分の詳細形状を示す図であり、（ａ）は側面図、（ｂ）は（ａ）における切断線Ａ−Ａでの断面図、（ｃ）は（ａ）における切断線Ｂ−Ｂでの断面図、（ｄ）は（ａ）における切断線Ｃ−Ｃでの断面図である。
【図３】図２に示すロッドアンテナの収納状態における筐体側面から見たキャップと筐体ケースとの位置関係を示す図である。
【図４】本発明の第１実施形態に係る携帯無線機において、ロッドアンテナを伸縮させる状態を示す説明図であり、（ａ）は収納状態、（ｂ）は伸縮経過状態、（ｃ）は伸張状態を示す。
【図５】ロッドアンテナを備えた一般的な携帯無線機の概略的な構成図であり、（ａ）は携帯無線機の開状態、（ｂ）は携帯無線機の閉状態を示す。
【図６】図５に示すロッドアンテナの詳細な構造を示す図であり、（ａ）はロッドアンテナの伸張時、（ｂ）はロッドアンテナの収納時を示す。
【図７】図５に示す構成の携帯無線機を開閉したときにロッドアンテナに不具合が発生する状態を示す説明図であり、（ａ）は携帯無線機の開状態、（ｂ）は携帯無線機のスライド時、（ｃ）は携帯無線機の閉状態を示す。
【発明を実施するための形態】
【００２６】
本発明の実施形態に係る携帯無線機（スライド式携帯無線機）は、ロッドアンテナが、先端部に、切欠部を有していて回転自在に構成されたキャップを備えている。また、下部筐体が、切欠部を通過できるように形成された突起部を備えている。このような構成により、ロッドアンテナが下部筐体の内部に収納される過程において、キャップが任意の方向へ回転したとき、切欠部が突起部を通過して突起部とキャップの端面とが当接すると、ロッドアンテナは下部筐体内の所定の位置に安定的に収納される。以下、本発明に係る携帯無線機（スライド式携帯無線機）とその携帯無線機に用いられるアンテナ装置の好適な実施形態の幾つかについて、図面を参照しながら詳細に説明する。
【００２７】
《第１実施形態》
図１には、本発明の第１実施形態に係るアンテナ装置を含む携帯無線機の概略的な構成図である。図１に示すように、携帯無線機１は、上部基板２、下部基板３、上部基板２と下部基板３とを導通させるためのフレキシブルケーブル４、及びロッドアンテナ５を備えて構成されている。
【００２８】
上部基板２及び下部基板３は、それぞれ、上部筐体２１及び下部筐体２２の内部に収容されていて、スライド構造（図示せず）によって上部筐体２１と下部筐体２２が開閉可能に接続されている。
【００２９】
上部基板２には、液晶ディスプレイ（図示せず）が搭載されており、下部基板３には、カメラ（図示せず）、給電部６、整合回路７、無線回路８、電池（図示せず）、キーボタン（図示せず）、バイブレータ（図示せず）などが搭載されている。なお、携帯無線機１の開状態とは、上部基板２の液晶ディスプレイ側から見たときに、下部基板３のキーボタンが見える状態である。また、携帯無線機１の開状態は前述の図５（ｂ）と同様の状態であるので図１では図示されていないが、閉状態とは、上部基板２の液晶ディスプレイ側から見たときに下部基板３のキーボタンが見えず、上部筐体２１と下部筐体２２とが重なっている状態である。
【００３０】
上部基板２と下部基板３とを導通させるためのフレキシブルケーブル４は、上部基板２の回路（図示せず）と下部基板３の回路（図示せず）とを電気的に接続している。また、ロッドアンテナ５は、キャップ９、第１のエレメント１０、第２のエレメント１１、サポート金具１２、及びバネ１３を備えて構成されている。このサポート金具１２は、下部基板３上に形成された給電部７に接続され、整合回路８を介して無線回路９に接続されている。
【００３１】
第１のエレメント１０の先端部には、下部筐体２２（下部基板３）からロッドアンテナ５を伸張／収納する際に使用するキャップ９が設けられている。また、第２のエレメント１０の底面にはバネ１３が接続されている。なお、フレキシブルケーブル４は、上部基板２と下部基板３とが繰り返し開閉されても断線しないように、柔軟性のある平型多心ケーブルで構成されている。
【００３２】
次に、本実施形態におけるアンテナ装置のキャップ９と携帯無線機１の下部筐体２２の詳細形状について説明する。図２は、図１に示すロッドアンテナ５のキャップ９部分の詳細形状を示す図であり、（ａ）は側面図であり、（ｂ）、（ｃ）及び（ｄ）は各部断面図である。
【００３３】
図２（ａ）に示すように、キャップ９を側面から見た形状は、第１の大円部９ａと小円部９ｂと第２の大円部９ｃとによって段差を有した形状となっている。すなわち、キャップ９を天面から見ると、同図（ｂ）の切断線Ａ−Ａにおける断面形状で示すような第１の大円部９ａになっていて、円の中心を軸として回転可能な構造を有している。また、第１の大円部９ａの下部のくびれ部分は、同図（ｃ）の切断線Ｂ−Ｂにおける断面形状で示すような小円部９ｂとなっている。さらに、小円部９ｂの下部は、同図（ｄ）の切断線Ｃ−Ｃにおける断面形状で示すように、大きい円に切欠部１４、１４が設けられた第２の大円部９ｃとなっている。
【００３４】
図３は、図２に示すロッドアンテナの収納状態における下部筐体２２側面から見たキャップ９と下部筐体２２との位置関係を示す図である。図３に示すように、下部筐体２２には突起部１６、１６が設けてあり、ロッドアンテナ５が図の上方から下方へ収納されたときに、下部筐体２２の突起部１６、１６がキャップ９の切欠部１４、１４を通過できる形状となっている。
【００３５】
ロッドアンテナ５のキャップ９をこのような形状にすることにより、ユーザがロッドアンテナ５を下方へ収納してキャップ９を回転操作すると、キャップ９の下部にある第２の大円部９ｃ（図２における切断線Ｃ−Ｃでの断面を構成する部分）と下部筐体２２に付設された突起部１６、１６との天面から見た際の重なり位置を変化させることができる。
【００３６】
すなわち、図３に示すように、ロッドアンテナ５を下部筐体２２に収納したときにキャップ９を回転させることにより、下部筐体２２の突起部１６、１６とキャップ９の切欠部１４、１４の位置が一致するので、突起部１６、１６はキャップ９の切欠部１４、１４を通過させることができる。そして、突起部１６、１６に対してキャップ９の切欠部１４、１４が通過して、キャップ９のくびれ部分の小円部９ｂ（図２における切断線Ｂ−Ｂでの断面を構成する部分）が該突起部１６、１６の位置にきたときにキャップ９をさらに回転させる。これによって、下部筐体２２の突起部１６、１６は、キャップ９の切欠部１４、１４とは異なる位置で第２の大円部９ｃ（図２における切断線Ｃ−Ｃでの断面を構成する部分）の上端面で当接するので、ロッドアンテナ５は、下部に設けられたバネ１３（図１参照）の付勢によって上方へ突出することなく安定した状態で下部筐体２２の内部に収納される。
【００３７】
ロッドアンテナ５の具体的な伸張／収納方法についてさらに詳しく説明する。図４は、本発明の第１実施形態に係る携帯無線機において、ロッドアンテナを伸縮させる状態を示す説明図であり、（ａ）は収納状態、（ｂ）は伸縮経過状態、（ｃ）は伸張状態を示している。すなわち、この図は、ロッドアンテナ５の収納状態／伸縮経過状態／伸張状態の各条件において、携帯無線機を筐体側面からみたときのロッドアンテナ５の伸縮状態を示したものである。
【００３８】
図４（ａ）は、ロッドアンテナ５の収納状態において、キャップ９の上端部が下部筐体２２の上端面に一致している状態を示している。また、図４（ｂ）は、ロッドアンテナ５が伸張する経過状態において、キャップ９の下端部が下部筐体２２の上端面から突出した状態を示している。さらに、図４（ｃ）は、ロッドアンテナ５が所定の長さまで伸張した状態を示している。
【００３９】
ロッドアンテナ５の収納状態においては、図４（ａ）に示すように、第２のエレメント１１の底面に接続されたバネ１３が、下部筐体２２に固定された台座１７によって圧縮された状態となっている。すなわち、収納状態のロッドアンテナ５は、バネ１３の反発力によって、常に引き出し方向に力が加わる構成となっている。
【００４０】
例えば、ロッドアンテナ５を伸張する場合は、ユーザの操作によってキャップ９を回転させ、図３に示すように、下部筐体２２の突起部１６、１６がキャップ９の第２の大円部９ｃの切欠部１４、１４の位置に重なるようにする。これにより、図４（ａ）に示すように、下部筐体２２に固定された台座１７によるバネ１３の反発力によって、ロッドアンテナ５は引き出し方向に力が働く。
【００４１】
これによって、図４（ｂ）に示すように、ロッドアンテナ５のキャップ９が少し飛び出した状態となる。次に、ユーザが少し飛び出したキャップ８を持ってロッドアンテナ５を所定の長さまで引き出すことにより、ロッドアンテナ５は、図４（ｃ）に示すような伸張状態となる。したがって、図５で示したような、従来のロッドアンテナで示した凹み部付キャップ１１８の凹み部分がなくても、本実施形態のロッドアンテナ５を容易に引き出すことができる。
【００４２】
一方、ロッドアンテナ５を収納する場合は、前述のような伸張動作とは逆の動作となる。すなわち、図４（ｃ）のように伸張状態にあるロッドアンテナ５を任意の回転位置のまま押し下げ、キャップ９の下端部である第２の大円部９ｃが下部筐体２２の突起部１６、１６に当接した位置でキャップ９を回転させる。そして、図３に示すように、キャップ９の第２の大円部９ｃの切欠部１４、１４が下部筐体２２の突起部１６、１６に一致した位置でさらにキャップ９を押し下げる。
【００４３】
これによって、下部筐体２２の突起部１６、１６はキャップ９の切欠部１４、１４を通過することができるので、図３の示すように、突起部１６、１６はキャップ９のくびれ部分である小円部９ｂの位置に収納される。このとき、キャップ９を任意の方向へ少し回転させれば、下部筐体２２の突起部１６、１６は、キャップ９のくびれ部分において第２の大円部９ｃの上端部で当接される。したがって、キャップ９は下部筐体２２の内部に安定的に収納され、ロッドアンテナ５の飛び出しを抑えることができる。
【００４４】
さらに、ロッドアンテナ５の収納状態においては、バネ１３の反発力により、下部筐体２２の突起部１６、１６がキャップ９のくびれ部分において第２の大円部９ｃの上端部で当接している状態を付勢することによって、キャップ９の飛び出しが抑えられる構造になっている。そのため、下部筐体に収納されたバイブレータが振動したときでも、第１のエレメント１０の上端部付近における振動が抑えられるので、第１のエレメント１０の下端部と第２のエレメント１１の上端部との接触による金属音を抑えることができる。
【００４５】
《第２実施形態》
前記第１実施形態ではキャップに切欠部１４，１４を設けているが、例えば、切欠部１４，１４の代わりに、ネジ等に用いられている螺旋状の凹みを施すことによっても第１実施形態と同様の作用・効果が得られる。さらに、前記第１実施形態では第２のエレメント１１の下端部にバネ１３を接続しているが、例えば、第２のエレメント１１の下端部にバネ１３を接続する代わりに、下部筐体２２に設けた台座１７（図４参照）にバネ１３を接続しても第１実施形態と同様の作用効果が得られる。
【００４６】
また、前記第１実施形態では第１のエレメント１０と第２のエレメント１１とで構成されるロッドアンテナ５について説明したが、これに限定されるものではなく、例えば、さらにエレメント数を増加し、第三のエレメントや第四のエレメントを設けた場合でも第１実施形態と同様の作用・効果が得られる。さらに、前記第１実施形態では、携帯無線機１としてスライド式の携帯電話機を想定したが、このような携帯電話機に限定されるものではなく、例えば、無線通信機能を備えたＰＤＡや無線通信機能を備えたゲーム機など、携帯電話機以外の携帯無線機にも適用することができる。
【００４７】
さらに、前記第１実施形態では下部筐体２２に突起部１６、１６を設けた構成としたが、下部筐体２２に突起部１６，１６を設けるのではなく、下部筐体２２から独立したアンテナ構造部に突起部を設けても第１実施形態と同様の作用効果が得られる。また、前記第１実施形態では下部筐体２２に２個の突起部１６，１６を設けた構成としたが、例えば、１個の突起部を設けても、あるいは３個以上の突起部を設けても、キャップ９側に対応する個数の切欠部が設けてあれば、第１実施形態と同様の作用効果が得られる。
また、上記実施形態では、アンテナ装置は下部筐体２２に設けられているものとしたが、上部筐体２１に設けられるものとしても良い。
【００４８】
以上、本発明に係るアンテナ装置の実施形態について図面を参照して詳述してきたが、本発明の具体的に構成はこれらの実施形態に限られるものではなく、本発明の趣旨を逸脱しない範囲の設計の変更等があってもそれらは本発明に含まれる。
【符号の説明】
【００４９】
１  携帯無線機
５  ロッドアンテナ
９  キャップ
１２  サポート金具
１３  バネ
１４  切欠部
１６  突起部
１７  台座
２１  上部筐体
２２  下部筐体
【図１】
2012178791.tif 000003
【図２】
2012178791.tif 000004
【図３】
2012178791.tif 000005
【図４】
2012178791.tif 000006
【図５】
2012178791.tif 000007
【図６】
2012178791.tif 000008
【図７】
2012178791.tif 000009